(57)【要約】      （修正有）【課題】機械的強度が十分であると共に、カードのカード挿入空間に対する挿入角度が変化せずカードをカード挿入空間に円滑に挿入できるカードエッジコネクタを提供する。【解決手段】カードエッジコネクタ１は、カードＣを回路基板ＰＣＢに対して斜めの方向にカード挿入空間１１に挿入し、カードＣを回路基板ＰＣＢに対して水平方向まで回転させてカードＣを回路基板ＰＣＢに接続する。一対のガイド部材３０Ｌの各々は、ハウジング１０に固定される金属製部材であると共に、回路基板ＰＣＢに対して斜めの方向に延びる、カードＣの上面を案内する上ガイド部３４、上ガイド部３４と対向するように延びるカードＣの下面を案内する下ガイド部３５とを備える。下ガイド部３５のカード挿入側端部３５ｂは上ガイド部３４のカード挿入側端部３４ｂよりもカード挿入方向手前側に突出している。【選択図】図１０
0003188274.tif 000002
【実用新案登録請求の範囲】
【請求項１】
回路基板に実装されると共に、カードが前記回路基板に対して斜めの方向に挿入されるカード挿入空間を有するハウジングと、該ハウジングに取り付けられると共に、前記カードに接触するコンタクトと、前記ハウジングの幅方向両端に設けられ、前記カードの前記カード挿入空間への挿入を案内する一対のガイド部材とを備え、前記カードを前記回路基板に対して斜めの方向に前記カード挿入空間に挿入し、前記カードを前記回路基板に対して水平となる方向まで回転させて前記カードを前記回路基板に接続するカードエッジコネクタであって、
前記一対のガイド部材の各々は、前記ハウジングに固定される金属製部材であると共に、前記回路基板に対して斜めの方向に延びる、前記カードの上面を案内する上ガイド部と、該上ガイド部と対向するように延びる、前記カードの下面を案内する下ガイド部とを備え、前記下ガイド部のカード挿入側端部は前記上ガイド部のカード挿入側端部よりもカード挿入方向手前側に突出しており、
前記カードの先端部を前記下ガイド部の前記カード挿入側端部上に載置してから前記カードの挿入を進行すると、前記カードの先端部が前記上ガイド部の下面と前記下ガイド部の上面との間に挟まれて、前記カードの前記カード挿入空間に対する挿入角度が決定されることを特徴とするカードエッジコネクタ。
【請求項２】
前記一対のガイド部材の各々には、前記カードの先端部が前記上ガイド部と前記下ガイド部との間から前記ハウジングのカード挿入方向手前側に脱落するのを防止する脱落防止部が設けられていることを特徴とする請求項１記載のカードエッジコネクタ。
【請求項３】
前記一対のガイド部材の各々には、前記カードの幅方向の移動を規制する移動規制部が設けられていることを特徴とする請求項１又は２記載のカードエッジコネクタ。
【請求項４】
前記一対のガイド部材の各々には、前記回路基板に固定される基板固定部が一体に設けられていることを特徴とする請求項１乃至３のうちいずれか一項に記載のカードエッジコネクタ。
【考案の詳細な説明】
【技術分野】
【０００１】
本考案は、メモリカード等のカードを、回路基板に接続するために用いられるカードエッジコネクタに関する。
【背景技術】
【０００２】
従来のこの種のカードエッジコネクタにおいては、カードを回路基板に対して斜めにハウジングに挿入し、カードを回路基板に対して水平となる方向まで回転させてカードを回路基板に接続することが行なわれている。そして、このカードエッジコネクタにおいては、カードを回路基板に対して斜めの方向にハウジングに挿入する際のガイド部材を設けるのが一般的である。
ここで、この種のガイド部材を設けたカードエッジコネクタとして、例えば、特許文献１に示すものが知られている。
特許文献１に示すカードエッジコネクタは、上側コンタクト及び下側コンタクトを列状に配置したハウジングに、基端がハウジングと一体となったガイド部材を設けている。このガイド部材は、案内位置と、格納位置との間を揺動自在となっている。案内位置は、ガイド部材の先端の上端面が、回路基板に対して水平となっている基板載置面に対して傾斜した状態で基板載置面から突出する位置である。また、格納位置は、ガイド部材の先端の上端面が、基板載置面と同一面となる位置である。
【０００３】
そして、このカードエッジコネクタにおいては、ガイド部材が案内位置にあるときに、ガイド部材の先端の上端面にカードの下面を当接させて滑らせながらカードをハウジング内に挿入する。これにより、カードを回路基板に対して斜めの方向にハウジングに挿入できる。そして、カードがハウジングに挿入された後、カードを回路基板に対して水平に向けて回動すると、ガイド部材が揺動するとともに、カードが基板載置面上に載置される。カードの載置状態は、ロック機構により保持される。
【０００４】
また、案内機構を設けたカードエッジコネクタとして、例えば、特許文献２に示すものも知られている。
特許文献２に示すカードエッジコネクタは、ハウジングに対し回動可能に設けられた案内機構を備えている。この案内機構は、カードの挿入時、ハウジングに設けられたコンタクトに対する挿入抵抗が小さい傾斜角度から挿入せしめるようカードの左右両側を案内する。そして、案内機構は、カード挿入後、カードの姿勢を正常状態に引き起こす際に回動し、その回動後の状態が係止機構によって保持されるようになっている。
このカードエッジコネクタによれば、コンタクトに対する挿入抵抗が小さい向きからカードを挿入できる案内機構を有するので、カード挿入時において、挿入抵抗の小さい角度を手探り感で探す必要がない、という利点を有する。
【０００５】
更に、ガイド部を設けたカードエッジコネクタとして、特許文献３に示すものも知られている。
特許文献３に示すカードエッジコネクタは、ハウジングの長手方向両端に、回路基板に対して斜め方向に延びる一対のガイド部を設けてある。各ガイド部は、相対向して延びる上壁部と、上壁部よりも長く形成された下壁部とからなっている。そして、カードは、ガイド部の延びる方向を向いていない場合であっても、ガイド部の下壁部を介してガイド部内に導かれてハウジングに受容されるようになっている。
【先行技術文献】
【特許文献】
【０００６】
【特許文献１】特開平８−２５０２３８号公報
【特許文献２】特開平７−３２０８２０号公報
【特許文献３】実開平７−２９７７６号公報
【考案の概要】
【考案が解決しようとする課題】
【０００７】
しかしながら、これら従来の特許文献１、２、３に示したカードエッジコネクにあっては、以下の問題点があった。
即ち、特許文献１に示したカードエッジコネクタの場合、ガイド部材がハウジングと一体の樹脂製であり、ガイド部材の機械的強度が弱い。このため、カードを挿入する際に、カードがガイド部材の先端に引っ掛かってガイド部材が損傷するおそれがある。また、カードの挿入後、カードを回路基板に対して水平の方向に揺動する際に、ガイド部材が過度に変形し、損傷するおそれがある。さらに、カードを挿入する際に、ガイド部材が揺動可能であるため、ガイド部材の先端の上端面の基板載置面に対する傾斜状態が変化してしまうおそれがある。当該上端面の基板載置面に対する傾斜状態が変化してしまうと、カードのハウジングに対する挿入角度が変化し、カードをハウジングに円滑に挿入できないおそれがある。また、当該挿入角度が変化してしまうおそれがあるため、カードをハウジングに挿入する際の作業性も悪い。
【０００８】
また、特許文献２に記載したカードエッジコネクタの場合、案内機構がハウジングに対して回動可能に設けられている。このため、案内機構においてカード挿入時に設定されている傾斜角度が変化してしまうおそれがある。当該傾斜角度が変化してしまうと、カードをハウジングに円滑に挿入できないおそれがある。また、当該傾斜角度が変化してしまうおそれがあるため、カードをハウジングに挿入する際の作業性も悪い。
【０００９】
更に、特許文献３に記載したカードエッジコネクタの場合、ガイド部材は、ガイド部の下壁部を介してカードをガイド部内に導きハウジングに挿入するものである。しかし、カードを回路基板に対して水平となるまで回転することができない。また、ガイド部はハウジングから斜めに延びる樹脂製であるので、機械的強度が十分ではない。
従って、本考案はこれら従来の問題点を解決するためになされたものであり、その目的は、カードを回路基板に対して斜めの方向にハウジングのカード挿入空間に挿入し、カードを回路基板に対して水平となる方向まで回転させてカードを回路基板に接続するカードエッジコネクタにおいて、機械的強度が十分であると共に、カードのカード挿入空間に対する挿入角度が変化せずカードをカード挿入空間に円滑に挿入できるとともにカードの挿入作業が容易となるガイド部材を備えたカードエッジコネクタを提供することにある。
【課題を解決するための手段】
【００１０】
上記目的を達成するために、本考案のある態様に係るカードエッジコネクタは、回路基板に実装されると共に、カードが前記回路基板に対して斜めの方向に挿入されるカード挿入空間を有するハウジングと、該ハウジングに取り付けられると共に、前記カードに接触するコンタクトと、前記ハウジングの幅方向両端に設けられ、前記カードの前記カード挿入空間への挿入を案内する一対のガイド部材とを備え、前記カードを前記回路基板に対して斜めの方向に前記カード挿入空間に挿入し、前記カードを前記回路基板に対して水平となる方向まで回転させて前記カードを前記回路基板に接続するカードエッジコネクタであって、前記一対のガイド部材の各々は、前記ハウジングに固定される金属製部材であると共に、前記回路基板に対して斜めの方向に延びる、前記カードの上面を案内する上ガイド部と、該上ガイド部と対向するように延びる、前記カードの下面を案内する下ガイド部とを備え、前記下ガイド部のカード挿入側端部は前記上ガイド部のカード挿入側端部よりもカード挿入方向手前側に突出しており、前記カードの先端部を前記下ガイド部の前記カード挿入側端部上に載置してから前記カードの挿入を進行すると、前記カードの先端部が前記上ガイド部の下面と前記下ガイド部の上面との間に挟まれて、前記カードの前記カード挿入空間に対する挿入角度が決定されることを特徴としている。
【００１１】
また、このカードコネクタにおいて、前記一対のガイド部材の各々には、前記カードの先端部が前記上ガイド部と前記下ガイド部との間から前記ハウジングのカード挿入方向手前側に脱落するのを防止する脱落防止部が設けられていることが好ましい。
更に、このカードコネクタにおいて、前記一対のガイド部材の各々には、前記カードの幅方向の移動を規制する移動規制部が設けられていることが好ましい。
また、このカードコネクタにおいて、前記一対のガイド部材の各々には、前記回路基板に固定される基板固定部が一体に設けられていることが好ましい。
【考案の効果】
【００１２】
本考案に係るカードエッジコネクタによれば、カードを回路基板に対して斜めの方向にカード挿入空間に挿入し、カードを回路基板に対して水平となる方向まで回転させてカードを回路基板に接続する。そして、このタイプのカードエッジコネクタにおいて、一対のガイド部材の各々は、ハウジングに固定される金属製部材である。このため、各ガイド部材の機械的強度が十分であり、カードが引っ掛かったり、過度に変形すること等に起因して損傷するおそれはない。
【００１３】
また、一対のガイド部材の各々は、回路基板に対して斜めの方向に延びる、カードの上面を案内する上ガイド部と、上ガイド部と対向するように延びる、カードの下面を案内する下ガイド部とを備え、下ガイド部のカード挿入側端部は上ガイド部のカード挿入側端部よりもカード挿入方向手前側に突出している。そして、カードの先端部を下ガイド部のカード挿入側端部上に載置してからカードの挿入を進行すると、カードの先端部が上ガイド部の下面と下ガイド部の上面との間に挟まれて、カードのカード挿入空間に対する挿入角度が決定される。このため、カードのカード挿入空間に対する挿入角度が変化せずカードをカード挿入空間に円滑に挿入できるとともにカードの挿入作業が容易となる。
【図面の簡単な説明】
【００１４】
【図１】本考案に係る、回路基板に実装されたカードエッジコネクタをカードとともに示す斜視図である。
【図２】図１に示す回路基板に実装されたカードエッジコネクタの平面図である。
【図３】図１に示す回路基板に実装されたカードエッジコネクタの正面図である。
【図４】図１のカードエッジコネクタを示し、（Ａ）は図３における矢印４Ａ部分の拡大図、（Ｂ）は（Ａ）における４Ｂ−４Ｂ線に沿う断面図である。
【図５】カードエッジコネクタに用いられる左側ガイド部材を示し、（Ａ）は右内側から見た斜視図、（Ｂ）は左外側から見た斜視図である。
【図６】カードエッジコネクタに用いられる右側ガイド部材を示し、（Ａ）は右外側から見た斜視図、（Ｂ）は左内側から見た斜視図である。
【図７】カードの先端が下ガイド部の前端部上に載置されている状態を示す側断面図である。
【図８】カードの先端がハウジングの直前にある状態を示し、（Ａ）は平面図、（Ｂ）は側断面図である。
【図９】カードの先端がカード挿入空間に最深部まで挿入された状態の側断面図である。
【図１０】カードの先端がカード挿入空間に最深部まで挿入された後、カードを回路基板に対して水平となるまで回転させる様子を示し、（Ａ）は平面図、（Ｂ）は側断面図である。
【図１１】カードが回路基板に対して水平となり回路基板に接続されている状態を示す側断面図である。
【図１２】カードの先端部が脱落防止部に当接し、カードがハウジングのカード挿入方向手前側に脱落するのが防止されている状態を示す側断面図である。
【考案を実施するための形態】
【００１５】
以下、本考案の実施の形態を図面を参照して説明する。
図１に示すように、カードエッジコネクタ１は、電子機器（図示せず）の内部に配設された回路基板ＰＣＢ上に実装され、メモリカード等のカードＣを回路基板ＰＣＢに接続するものである。
ここで、カードエッジコネクタ１は、図２及び図３に示すように、ハウジング１０と、複数のコンタクト２０と、左右一対のガイド部材３０Ｌ，３０Ｒとを備えている。
【００１６】
ハウジング１０は、図２及び図３に示すように、幅方向（図２及び図３における左右方向）に細長く延びる略直方体形状に形成されている。ハウジング１０は、図３及び図４（Ａ），（Ｂ）に示すように、ハウジング１０の幅方向に細長く延びるカード挿入空間１１を有している。カード挿入空間１１は、図４（Ｂ）に示すように、ハウジング１０の前面（図４（Ｂ）における左面）に開口し、ハウジング１０の後方に向けて延びている。カード挿入空間１１には、図８乃至図１０に示すように、カードＣが回路基板ＰＣＢに対して斜めの方向に前方から後方に向けて挿入される。そして、カード挿入空間１１は、カードＣが回路基板に対して水平となる方向まで回転されることを許容する。
【００１７】
また、ハウジング１０には、図４（Ａ），（Ｂ）に示すように、後述する上コンタクト２１を収容する複数の上コンタクト収容キャビティ１２が形成されている。複数の上コンタクト収容キャビティ１２は、ハウジング１０の幅方向に沿って所定ピッチで形成される。そして、各上コンタクト収容キャビティ１２は、図４（Ｂ）に示すように、ハウジング１０の上方側において前後方向に延び、前側がカード挿入空間１１に連通し、後側が外部に開放している。また、ハウジング１０には、図４（Ａ），（Ｂ）に示すように、後述する下コンタクト２２を収容する複数の下コンタクト収容キャビティ１３が形成されている。複数の下コンタクト収容キャビティ１３は、図４（Ａ）に示すように、上コンタクト収容キャビティ１２に対して千鳥配置されるようにハウジング１０の幅方向に沿って所定ピッチで形成される。そして、各下コンタクト収容キャビティ１３は、図４（Ｂ）に示すように、ハウジング１０の下方側において前後方向に延び、前側がカード挿入空間１１に連通し、後側が外部に開放している。
【００１８】
そして、ハウジング１０のカード挿入空間１１の幅方向左右外側には、図３に示すように、一対のガイド部材固定用孔１４が設けられている。各ガイド部材固定用孔１４は、ハウジング１０の前面に開放し、後方に延びている。
また、各コンタクト２０は、図３及び図４（Ａ），（Ｂ）に示すように、上コンタクト２１と、下コンタクト２２とからなっている。各上コンタクト２１は、各上コンタクト収容キャビティ１２内に収容され、複数の上コンタクト２１がハウジング１０の上方側において幅方向に沿って所定ピッチで配置される。また、各下コンタクト２２は、各下コンタクト収容キャビティ１３内に収容され、複数の下コンタクト２２がハウジング１０の下方側において幅方向に沿って所定ピッチで配置される。複数の下コンタクト２２は、複数の上コンタクト２１に対してハウジング１０の幅方向に沿って千鳥配置される。
【００１９】
そして、各上コンタクト２１は、図４（Ｂ）に示すように、固定部２１ａと、固定部２１ａの前端から前方に延びる接触アーム２１ｂと、固定部２１ａの後端下縁から下方に延びる基板接続部２１ｄとを備えている。各上コンタクト２１は、金属板を打抜き加工することによって形成される。固定部２１ａは、ハウジング１の後方から上コンタクト収容キャビティ１２内に挿入され、ハウジング１０に圧入固定される。接触アーム２１ｂは、固定部２１ａから片持ち梁状に延び、前端下部には下方に突出する接触突部２１ｃが形成されている。接触突部２１ｃは、カード挿入空間１１内に突出し、カードＣがカード挿入空間１１に挿入された際に、カードＣの上面に形成された導電パッド（図示せず）に接触する。また、基板接続部２１ｄは、固定部２１ａから下方に延びた下端が後方に曲げられ、ハウジング１０の後方外部に突出している。そして、基板接続部２１ｄの下端が回路基板ＰＣＢ上に導電パッド（図示せず）に半田接続される。
【００２０】
一方、各下コンタクト２２は、図４（Ｂ）に示すように、固定部２２ａと、固定部２２ａの前端上方から前方に延びる接触アーム２２ｂと、固定部２２ａの前端下方から前方に延びる基板接続部２２ｄとを備えている。各下コンタクト２２は、金属板を打抜き加工することによって形成される。固定部２２ａは、ハウジング１の前方から下コンタクト収容キャビティ１３内に挿入され、ハウジング１０に圧入固定される。接触アーム２２ｂは、固定部２２ａから片持ち梁状に延び、前端上部には上方に突出する接触突部２２ｃが形成されている。接触突部２２ｃは、カード挿入空間１１内に突出し、カードＣがカード挿入空間１１に挿入された際に、カードＣの下面に形成された導電パッド（図示せず）に接触する。上コンタクト２１の接触突部２１ｃと下コンタクト２２の接触突部２２ｃとの間の間隔は、カードＣの厚さよりもやや小さめに設定される。そして、基板接続部２２ｄは、前端が下方に曲げられ、その曲げられた部分が回路基板ＰＣＢ上に導電パッド（図示せず）に半田接続される。
【００２１】
更に、左右一対のガイド部材３０Ｌ，３０Ｒは、ハウジング１０の幅方向左右両端に設けられ、カードＣのカード挿入空間１１への挿入を案内するようになっている。
ここで、ハウジング１０の幅方向左端に設けられる左側ガイド部材３０Ｌと、ハウジング１０の幅方向右端の右側ガイド部材３０Ｒとは、図３、図５（Ａ），（Ｂ）及び図６（Ａ），（Ｂ）に示すように、鏡面対称形状をなしている。従って、ガイド部材を代表して、図５（Ａ），（Ｂ）に示す左側ガイド部材３０Ｌの構成及び形状についてのみ詳細に説明する。
【００２２】
左側ガイド部材３０Ｌは、金属板を打抜き及び曲げ加工することによって形成され、図５（Ａ），(Ｂ)に示すように、ハウジング１０に固定される圧入固定部３１を備えている。このため、左側ガイド部材３０Ｌの機械的強度が十分であり、カードが引っ掛かったり、過度に変形すること等に起因して損傷するおそれはない。右側ガイド部材３０Ｒについても同様である。そして、圧入固定部３１は、ハウジング１０の前後方向に細長く延びる略矩形板形状をなし、上縁に複数のバーブ３１ａを備えている。圧入固定部３１は、その後端部を先頭にしてハウジング１０の左側のガイド部材固定用孔１４（図３参照）にハウジング１０の前方から圧入固定される。そして、圧入固定部３１の前端には、図５（Ｂ）に示すように、右内側に少しだけ折れ曲がる折曲部３２ａを介して略矩形板形状の基板部３２が前方に延びている。
【００２３】
また、左側ガイド部材３０Ｌは、図５（Ａ），（Ｂ）に示すように、基板部３２の上縁前側部分から上方に延びる前側移動規制部３３ａと、基板部３２の上縁後側部分から上方に延びる後側移動規制部３３ｂとを備えている。前側移動規制部３３ａ及び後側移動規制部３３ｂは、カードＣをカード挿入空間１１に挿入する際に、右側ガイド部材３０Ｒの前側移動規制部３３ａ及び後側移動規制部３３ｂとともにカードＣの幅方向（左右方向）の移動を規制する移動規制部を構成する。左側ガイド部材３０Ｌの前側移動規制部３３ａの内面３３ａａ及び後側移動規制部３３ｂの内面３３ｂａがカードＣの左方への移動を規制する。右側ガイド部材３０Ｒの前側移動規制部３３ａの内面３３ａａ及び後側移動規制部３３ｂの内面３３ｂａがカードＣの右方への移動を規制する。更に、左側ガイド部材３０Ｌは、基板部３２の前端から右内側に折れ曲がる前壁部３２ｂを備えている。
【００２４】
また、左側ガイド部材３０Ｌは、図５（Ａ）,（Ｂ）に示すように、カードＣをカード挿入空間１１に挿入する際に、カードＣの上面を案内する上ガイド部３４と、カードＣの下面を案内する下ガイド部３５とを備えている。上ガイド部３４は、後側移動規制部３３ｂの上縁から右内側に折れ曲がる板状部であり、前端部（カード挿入側端部）３４ｂから後方に向けて回路基板ＰＣＢに対して斜めの方向に延びている。具体的には、上ガイド部３４の下面３４ａが回路基板ＰＣＢとのなす角度が約２０°となるように上ガイド部３４は前方から後方に向けて延びている。また、下ガイド部３５は、前壁部３２ｂの上縁から折れ曲がり、上ガイド部３４と対向するように前端部（カード挿入側端部）３５ｂから後方に向けて回路基板ＰＣＢに対して斜めの方向に延びている。具体的には、下ガイド部３５の上面３５ａが回路基板ＰＣＢとのなす角度が約２０°となるように下ガイド部３５は前方から後方に向けて延びている。そして、下ガイド部３５の前端部３５ｂは上ガイド部３４の前端部３４ｂよりも前側（カード挿入方向手前側）に突出している。また、下ガイド部３５の上面３５ａと上ガイド部３４の下面３４ａとの間の間隔は、カードＣの板厚よりも若干大きめに設定されている。
【００２５】
また、左側ガイド部材３０Ｌは、図５（Ａ）,（Ｂ）に示すように、下ガイド部３５の後端部から下方に延びる第１基板固定部３６ａと、基板部３２の下縁から下方に延びる第２基板固定部３６ｂとを備えている。第１基板固定部３６ａの下端部は、図４（Ｂ）に示すように、回路基板ＰＣＢに形成されたスルーホール（図示せず）に挿通されて半田接続される。また、第２基板固定部３６ｂの下端部も、回路基板ＰＣＢに形成されたスルーホール（図示せず）に挿通されて半田接続される。従って、左側ガイド部材３０Ｌは、右側ガイド部材３０Ｒとともに、ハウジング１０を回路基板ＰＣＢ上に固定するためのソルダペグとして機能する。
【００２６】
更に、左側ガイド部材３０Ｌは、図５（Ａ）に示すように、第１基板固定部３６ａの上下方向略中央部から後方に向けて折り曲げられた脱落防止部３７を備えている。図１２に示すように、カードＣの先端部が上ガイド部３４と下ガイド部３５との間を通過してハウジング１０の前側（カード挿入方向手前側）に脱落しようとするときに、カードＣの先端部が脱落防止部３７の上縁に当接する。これにより、カードＣがハウジング１０の前側に脱落するのを阻止する。このため、カードＣが脱落したことによるハウジング１０や回路基板ＰＣＢの損傷を未然に防止することができる。
【００２７】
次に、カードＣのカード挿入空間１１への挿入動作及びカードＣの回転動作について、図７乃至図１１を参照して説明する。
カードＣをカード挿入空間１１へ挿入するに際しては、先ず、図７に示すように、カードＣの先端部を、左側ガイド部材３０Ｌ及び右側ガイド部材３０Ｒの下ガイド部３５の前端部（カード挿入側端部）３５ｂ上に載置する。この状態では、カードＣは回路基板ＰＣＢに対してほぼ水平状態となっている。
【００２８】
次いで、図８（Ａ），（Ｂ）に示すように、カードＣの挿入を進行させる。つまり、カードＣを後方へ移動する。すると、カードＣの先端部が左側ガイド部材３０Ｌ及び右側ガイド部材３０Ｒの上ガイド部３４の下面３４ａに当接してから回転し、上ガイド部３４の下面３４ａと下ガイド部３５の上面３５ａとの間に挟まれる。これにより、カードＣのカード挿入空間１１に対する挿入角度が決定される。つまり、カードＣの先端部が上ガイド部３４の下面３４ａと下ガイド部３５の上面３５ａとの間に挟まれているから、カードＣが回路基板ＰＣＢに対して斜めの方向に約２０°傾斜した状態が維持される。このため、カードＣのカード挿入空間１１に対する挿入角度が変化せず、カードＣをカード挿入空間１１に円滑に挿入できるとともにカードＣの挿入作業が容易となる。また、作業者はカードＣのカード挿入空間１１に対する挿入角度を探りながらカードＣをカード挿入空間１１に挿入する必要はない。
【００２９】
そして、図９に示すように、カードＣの挿入を進行させると、カードＣの先端部が上コンタクト２１の接触突部２１ｃと下コンタクト２２の接触突部２２ｃとの間を通過してカードＣの先端部がカード挿入空間１１の最深部に至る。この際に、カードＣが回路基板ＰＣＢに対して斜めの方向に傾斜した状態が維持されているので、カードＣの先端部が上コンタクト２１の接触突部２１ｃあるいは下コンタクト２２の接触突部２２ｃに衝突するおそれなはない。
【００３０】
その後、図１０（Ａ）,（Ｂ）に示すように、カードＣを回路基板ＰＣＢに対して水平となるまで回転させる。ここで、カードＣの幅方向両側部（図１０（Ａ）にはカードＣの幅方向左側部のみを図示）には、各ガイド部材３０Ｌ，３０Ｒの下ガイド部３５の通過を許容する切欠Ｃ１が形成されている。このため、カードＣを回路基板ＰＣＢに対して水平となるまで回転させるときに、カードＣが下ガイド部３５に当接してカードＣの回転が阻止されることはない。そして、カードＣが回路基板ＰＣＢに対して水平となった後、図１１に示すように、カードＣの前方側を取付ねじ３８によりＰＣＢに固定する。これにより、カードＣが回路基板ＰＣＢに接続される。この際に、上コンタクト２１の接触突部２１ｃが所定の弾性力でカードＣの上面の導電パッドに接触し、下コンタクト２２の接触突部２２ｃが所定の弾性力でカードＣの下面の導電パッドに接触している。従って、カードＣは、上コンタクト２１及び下コンタクト２２を介して回路基板ＰＣＢに電気的に接続される。
【００３１】
以上、本考案の実施形態について説明してきたが、本考案はこれに限定されずに種々の変更、改良を行うことができる。
例えば、左側ガイド部材３０Ｌ及び右側ガイド部材３０Ｒの各々には、脱落防止部３７が設けられているが、脱落防止部３７は必ずしも設けなくても良い。
また、左側ガイド部材３０Ｌ及び右側ガイド部材３０Ｒの各々には、前側移動規制部３３ａ及び後側移動規制部３３ｂが設けられているが、これら前側移動規制部３３ａ及び後側移動規制部３３ｂは必ずしも設けなくても良い。また、カードＣの幅方向の移動を規制する移動規制部を設ける場合には、移動規制部の数は任意であり、前側移動規制部３３ａ及び後側移動規制部３３ｂのように２つに限らない。
【００３２】
更に、左側ガイド部材３０Ｌ及び右側ガイド部材３０Ｒの各々には、第１基板固定部３６ａ及び第２基板固定部３６ｂが設けられているが、これら第１基板固定部３６ａ及び第２基板固定部３６ｂの双方を必ずしも設けなくても良い。
また、左側ガイド部材３０Ｌ及び右側ガイド部材３０Ｒの各々の圧入固定部３１及び基板部３２の間に折曲部３２ａが設けられていたが、折曲部３２ａの寸法を変更したり、又は折曲部３２ａをなくしてもよい。これにより、カードエッジコネクタ１に挿入されるカードＣの多様な幅寸法に対応することができる。
【符号の説明】
【００３３】
１  カードエッジコネクタ
１０  ハウジング
１１  カード挿入空間
２０  コンタクト
２１  上コンタクト
２２  下コンタクト
３０Ｌ  左側ガイド部材（ガイド部材）
３０Ｒ  右側ガイド部材（ガイド部材）
３３ａ  前側移動規制部（移動規制部）
３３ｂ  後側移動規制部（移動規制部）
３４  上ガイド部
３４ｂ  前端部（カード挿入側端部）
３５  下ガイド部
３５ｂ  前端部（カード挿入側端部）
３７  脱落防止部
ＰＣＢ  ハウジング
Ｃ  カード
【図１】
0003188274.tif 000003
【図２】
0003188274.tif 000004
【図３】
0003188274.tif 000005
【図４】
0003188274.tif 000006
【図５】
0003188274.tif 000007
【図６】
0003188274.tif 000008
【図７】
0003188274.tif 000009
【図８】
0003188274.tif 000010
【図９】
0003188274.tif 000011
【図１０】
0003188274.tif 000012
【図１１】
0003188274.tif 000013
【図１２】
0003188274.tif 000014
【手続補正書】
【提出日】平成25年11月13日(2013.11.13)
【手続補正１】
【補正対象書類名】実用新案登録請求の範囲
【補正対象項目名】全文
【補正方法】変更
【補正の内容】
【実用新案登録請求の範囲】
【請求項１】
回路基板に実装されると共に、カードが前記回路基板に対して斜めの方向に挿入されるカード挿入空間を有するハウジングと、該ハウジングに取り付けられると共に、前記カードに接触するコンタクトと、前記ハウジングの幅方向両端に設けられ、前記カードの前記カード挿入空間への挿入を案内する一対のガイド部材とを備え、前記カードを前記回路基板に対して斜めの方向に前記カード挿入空間に挿入し、前記カードを前記回路基板に対して水平となる方向まで回転させて前記カードを前記回路基板に接続するカードエッジコネクタであって、
前記一対のガイド部材の各々は、前記ハウジングに固定される金属製部材であると共に、前記回路基板に対して斜めの方向に延びる、前記カードの上面を案内する上ガイド部と、該上ガイド部と対向するように延びる、前記カードの下面を案内する下ガイド部とを備え、前記下ガイド部のカード挿入側端部は前記上ガイド部のカード挿入側端部よりもカード挿入方向手前側に突出しており、
前記カードの先端部を前記下ガイド部の前記カード挿入側端部上に載置してから前記カードの挿入を進行すると、前記カードの先端部が前記上ガイド部の下面と前記下ガイド部の上面との間に挟まれて、前記カードの前記カード挿入空間に対する挿入角度が決定されることを特徴とするカードエッジコネクタ。
【請求項２】
前記一対のガイド部材の各々には、前記下ガイド部の前記カード挿入側端部と反対側端部である後端部から下方に延びる第１基板固定部と、該第１基板固定部から後方に向けて折り曲げられた脱落防止部とが設けられ、該脱落防止部は、前記カードの先端部が前記上ガイド部と前記下ガイド部との間から前記ハウジングのカード挿入方向手前側に脱落するのを防止することを特徴とする請求項１記載のカードエッジコネクタ。
【請求項３】
前記一対のガイド部材の各々には、前記上ガイド部が上縁から延びる略矩形形状の基板部の上縁から上方に延びる移動規制部が設けられ、該移動規制部は、前記カードの幅方向の移動を規制することを特徴とする請求項１又は２記載のカードエッジコネクタ。
【請求項４】
前記一対のガイド部材の各々には、前記下ガイド部の前記カード挿入側端部と反対側端部である後端部から下方に延びる第１基板固定部と、前記上ガイド部が上縁から延びる略矩形形状の基板部の下縁から下方に延びる第２基板固定部との双方またはいずれか一方が一体に設けられており、前記第１基板固定部及び前記第２基板固定部の双方またはいずれか一方が、前記回路基板に固定されることを特徴とする請求項１乃至３のうちいずれか一項に記載のカードエッジコネクタ。
【手続補正２】
【補正対象書類名】明細書
【補正対象項目名】００１１
【補正方法】変更
【補正の内容】
【００１１】
また、このカードエッジコネクタにおいて、前記一対のガイド部材の各々には、前記下ガイド部の前記カード挿入側端部と反対側端部である後端部から下方に延びる第１基板固定部と、該第１基板固定部から後方に向けて折り曲げられた脱落防止部とが設けられ、該脱落防止部は、前記カードの先端部が前記上ガイド部と前記下ガイド部との間から前記ハウジングのカード挿入方向手前側に脱落するのを防止することが好ましい。
更に、このカードコネクタにおいて、前記一対のガイド部材の各々には、前記上ガイド部が上縁から延びる略矩形形状の基板部と、該基板部の上縁から上方に延びる移動規制部とが設けられ、該移動規制部は、前記カードの幅方向の移動を規制することが好ましい。
また、このカードコネクタにおいて、前記一対のガイド部材の各々には、前記下ガイド部の前記カード挿入側端部と反対側端部である後端部から下方に延びる第１基板固定部と、前記上ガイド部が上縁から延びる略矩形形状の基板部の下縁から下方に延びる第２基板固定部との双方またはいずれか一方が一体に設けられており、前記第１基板固定部及び前記第２基板固定部の双方またはいずれか一方が、前記回路基板に固定されることが好ましい。
【手続補正３】
【補正対象書類名】明細書
【補正対象項目名】００３３
【補正方法】変更
【補正の内容】
【００３３】
１  カードエッジコネクタ
１０  ハウジング
１１  カード挿入空間
２０  コンタクト
２１  上コンタクト
２２  下コンタクト
３０Ｌ  左側ガイド部材（ガイド部材）
３０Ｒ  右側ガイド部材（ガイド部材）
３２  基板部
３３ａ  前側移動規制部（移動規制部）
３３ｂ  後側移動規制部（移動規制部）
３４  上ガイド部
３４ｂ  前端部（カード挿入側端部）
３５  下ガイド部
３５ｂ  前端部（カード挿入側端部）
３６ａ  第１基板固定部
３６ｂ  第２基板固定部
３７  脱落防止部
ＰＣＢ  回路基板
Ｃ  カード